(57)【要約】【課題】発光ダイオードと点灯回路の間の結線作業を簡略化した照明器具を提供する。【解決手段】照明器具１は、ＬＥＤユニット６を収納する第１収納部３と、外部電源１０から電力供給を受けてＬＥＤユニット６を点灯させる点灯回路７を収納する回路収納室４４を備えて第１収納部３に着脱自在に取り付けられる第２収納部４とを備える。第１収納部３及び第２収納部４を含む器具本体２には、回路収納室４４と仕切られた状態で設けられた電線収納室５が設けられている。電線収納室５には、外部電源１０からの給電線Ｌ３と点灯回路７の入力線Ｌ１の間を結線する第１結線部ＣＮ１と、点灯回路７の出力線Ｌ２とＬＥＤユニット６の入力線Ｌ４の間を結線する第２結線部ＣＮ２とが収納されている。【選択図】図１
2014135205.tif 000002
【特許請求の範囲】
【請求項１】
発光ダイオードを収納する第１収納部と、
外部電源から電力供給を受けて前記発光ダイオードを点灯させる点灯回路を収納する回路収納室を備えて前記第１収納部に着脱自在に取り付けられる第２収納部と、
前記第１収納部及び前記第２収納部を含む器具本体に、前記回路収納室と仕切られた状態で設けられた電線収納室とを備え、
前記電線収納室に、前記外部電源からの給電線と前記点灯回路の第１入力線の間を結線する第１結線部と、前記点灯回路の出力線と前記発光ダイオードの第２入力線の間を結線する第２結線部とが収納されることを特徴とする照明器具。
【請求項２】
前記第２収納部は、前記回路収納室と前記電線収納室の間を仕切る仕切り壁を備え、
前記仕切り壁には、前記第１入力線及び前記出力線を通すための孔が設けられ、
前記孔には隙間を埋めるためのブッシングが取り付けられたことを特徴とする請求項１記載の照明器具。
【請求項３】
前記回路収納室の内部空間を外部に開放する第１開口と、
前記電線収納室の内部空間を外部に開放する第２開口と、
前記第１開口の周縁部に着脱自在に取り付けられて前記第１開口を閉塞する第１カバーと、
前記第１カバーとは別体に形成され、前記第２開口の周縁部に着脱自在に取り付けられて前記第２開口を閉塞する第２カバーとを備えることを特徴とする請求項１又は２の何れか１項に記載の照明器具。
【発明の詳細な説明】
【技術分野】
【０００１】
本発明は、照明器具に関するものである。
【背景技術】
【０００２】
従来、発光ダイオード（ＬＥＤ）を光源とするＬＥＤユニットを備えた照明器具が提案されている（例えば特許文献１参照）。この照明器具は、円筒状に形成されたカバーを備え、カバーの内部には、ＬＥＤユニットが下面に設置された取付板が取り付けられ、ＬＥＤユニットの発光はカバーの下側開口から下方に照射されるようになっている。そして、取付板の上面には、電源からの給電線が接続される電源用端子台と、電源用端子台を介して給電されて、ＬＥＤユニットに点灯電力を供給する点灯ユニットが設置されている。
【先行技術文献】
【特許文献】
【０００３】
【特許文献１】特開２００６−１７２８９３号公報
【発明の概要】
【発明が解決しようとする課題】
【０００４】
上記特許文献１に開示された照明器具では、点灯ユニットとＬＥＤユニットの間で、点灯ユニットからＬＥＤユニットに電流を流すための電線を、中継接続する構成は存在していなかった。そのため、ＬＥＤユニット又は点灯ユニットが故障した場合、ＬＥＤユニットのみ、或いは、点灯ユニットのみを交換するのが難しく、照明器具の全体を交換しなければならなかった。また、ＬＥＤユニットのみ、点灯ユニットのみを交換する場合は、ＬＥＤユニットと点灯ユニットの間を電気的に接続する作業に手間がかかるという問題があった。
【０００５】
本発明は上記課題に鑑みて為されたものであり、その目的とするところは、発光ダイオードと点灯回路の間の結線作業を簡略化した照明器具を提供することにある。
【課題を解決するための手段】
【０００６】
上記課題を解決するために、本発明の照明器具は、第１収納部と第２収納部と電線収納室を備える。第１収納部は発光ダイオードを収納する。第２収納部は、外部電源から電力供給を受けて発光ダイオードを点灯させる点灯回路を収納する回路収納室を備え、第１収納部に着脱自在に取り付けられる。電線収納室は、第１収納部及び第２収納部を含む器具本体に、回路収納室と仕切られた状態で設けられる。電線収納室には、外部電源からの給電線と点灯回路の第１入力線の間を結線する第１結線部と、点灯回路の出力線と発光ダイオードの第２入力線の間を結線する第２結線部とが収納されることを特徴とする。
【０００７】
この照明器具において、第２収納部は、回路収納室と電線収納室の間を仕切る仕切り壁を備え、仕切り壁には、第１入力線及び出力線を通すための孔が設けられ、孔には隙間を埋めるためのブッシングが取り付けられることも好ましい。
【０００８】
この照明器具において、第１開口と、第２開口と、第１カバーと、第２カバーとをさらに備えることも好ましい。第１開口は回路収納室の内部空間を外部に開放する。第２開口は電線収納室の内部空間を外部に開放する。第１カバーは、第１開口の周縁部に着脱自在に取り付けられて第１開口を閉塞する。第２カバーは、第１カバーとは別体に形成され、第２開口の周縁部に着脱自在に取り付けられて第２開口を閉塞する。
【発明の効果】
【０００９】
本発明によれば、点灯回路を収納する回路収納室と仕切られた状態で電線収納室が設けられ、この電線収納室に第１結線部及び第２結線部が収納されている。したがって、点灯回路又は発光ダイオードを交換する場合には、点灯回路を収納する第２収納部、又は、発光ダイオードを収納する第１収納部を交換した後に、電線収納室において結線作業を行えばよいから、点灯回路と発光ダイオードの間を電気的に接続する作業を容易に行うことができ、点灯回路或いは発光ダイオードの交換に容易に対応できる。
【図面の簡単な説明】
【００１０】
【図１】（ａ）は実施形態１の照明器具の構造を模式的に示した概略図、（ｂ）は比較例の構造を模式的に示した概略図である。
【図２】（ａ）は同上の照明器具を前側から見た斜視図、（ｂ）は同上の照明器具を後側から見た斜視図である。
【図３】同上の照明器具の断面図である。
【図４】同上の照明器具の要部を拡大した要部断面図である。
【図５】実施形態２の照明器具を示し、（ａ）は発光ユニットを下側から見た斜視図、（ｂ）は発光ユニットを上側から見た斜視図、（ｃ）は断面図である。
【図６】同上の照明器具を示し、（ａ）（ｂ）は発光ユニットが取付板に取り付けられた状態を裏側から見た斜視図である。
【図７】同上の照明器具を示し、（ａ）は発光ユニットが取付板に取り付けられた状態を前側から見た斜視図、（ｂ）は発光ユニットが取付板に取り付けられた状態を後側から見た斜視図である。
【図８】同上の照明器具の構成を模式的に示した概略図である。
【図９】同上の照明器具の別の形態を示す斜視図である。
【発明を実施するための形態】
【００１１】
以下に本発明の実施の形態を図面に基づいて説明する。
【００１２】
（実施形態１）
実施形態１の照明器具について図１〜図４を参照して説明する。本実施形態では屋外用の投光器を例に説明するが、本発明に係る照明器具は屋外用の投光器に限定されるものではなく、他の用途に用いられる照明器具にも適用が可能である。
【００１３】
図１（ａ）は本実施形態の照明器具１の構造を模式的に示した概略図である。
【００１４】
照明器具１の器具本体２は、第１収納部３と、第２収納部４とを組み合わせて構成される。
【００１５】
第１収納部３は、発光ダイオード（図示せず）及びレンズが基板上に実装されたＬＥＤユニット６を収納する光源収納室３１を備えている。
【００１６】
第２収納部４は、外部電源１０から電力供給を受けてＬＥＤユニット６を点灯させる点灯回路７を収納する回路収納室４４を備え、第１収納部３に着脱自在に取り付けられる。
【００１７】
第１収納部３及び第２収納部４からなる器具本体２には、回路収納室４４と仕切られた状態で電線収納室５が設けられている。電線収納室５には、第１結線部ＣＮ１と第２結線部ＣＮ２とが収納される。第１結線部ＣＮ１は、外部電源１０からの給電線Ｌ３と、点灯回路７の第１入力線（以下、入力線と略称する。）Ｌ１の間を結線する。第２結線部ＣＮ２は、点灯回路７の出力線Ｌ２と、ＬＥＤユニット６の第２入力線（以下、入力線と略称する。）Ｌ４の間を結線する。
【００１８】
次に、第１収納部３、第２収納部４及び電線収納室５の具体的な構成について、図２及び図３を参照して説明する。図２（ａ）は照明器具１を前側から見た斜視図、図２（ｂ）は照明器具１を後側から見た斜視図、図３は照明器具１の断面図である。尚、以下の説明では特に断りが無いかぎり、図３に示す向きにおいて上下左右の方向を規定して説明するが、この方向は説明の便宜上定義するものであり、実際の使用状態での方向を上記の方向に限定するものではない。
【００１９】
第１収納部３は本体３２と前枠３３とで構成される。
【００２０】
本体３２は、例えばダイカスト法により形成されたダイカスト成型品からなる。本体３２は、円筒状の側壁３２ｂと、側壁３２ｂの軸方向一端側を閉塞する底壁３２ａと、側壁３２ｂの開口側の端部から径方向の外側に突出する鍔部３２ｃと、底壁３２ａの裏面（図３における右側面）に設けられた放熱用の複数のフィン３２ｄを一体に備える。
【００２１】
前枠３３は、外径及び内径の各寸法が鍔部３２ｃと略同じ寸法に設定された環状に形成されている。前枠３３は、透光性の材料（例えばガラスなど）で形成された円板状のカバー３５を鍔部３２ｃとの間に挟んだ状態で、鍔部３２ｃの前側にネジ止めなどの方法で固定される。
【００２２】
底壁３２ａと側壁３２ｂとで囲まれる空間により、ＬＥＤユニット６を収納する光源収納室３１が構成される。光源収納室３１は、側壁３２ｂの軸方向一端側（図３の左側）が開口しており、この開口は上述のように透光性のカバー３５によって閉塞される。光源収納室３１の内部には、底壁３２ａの表面（図３における左側面）に複数（本実施形態では例えば７個）のＬＥＤユニット６が配置されている。図２（ａ）に示すように、底壁３２ａの中央位置にＬＥＤユニット６が１個配置され、底壁３２ａの中央位置を重心位置とする正六角形の頂点の位置にＬＥＤユニット６が１個ずつ配置されている。また第１収納部３の内部には、ＬＥＤユニット６の発光を反射して配光を制御する反射部材３６が収納されている。反射部材３６には、ＬＥＤユニット６にそれぞれ対応する位置に、ＬＥＤユニット６を露出させる孔３６ａが設けられ、各々の孔３６ａの周りには回転放物面からなる反射面３６ｂが形成されている。
【００２３】
本体３２の下部の後面（図３中の右側面）には、周りを壁３７ａで囲まれた第２電線収納室３７が一体に設けられ、第２電線収納室３７は底壁３２ａに設けられた孔３７ｂを通して光源収納室３１と繋がっている。
【００２４】
本体３２には、例えば造営面（天井面や床面や壁面など）や支柱などの構造物に固定されるアーム１１が回転自在に取り付けられている。アーム１１が設置場所に固定された状態で、本体３２の向きを変化させることで、ＬＥＤユニット６からの発光を所望の方向に向けることができる。
【００２５】
第２収納部４は、ダイカスト法によって形成されたダイカスト成型品からなり一方の側面（図３中の右側面）の略全体が開口した箱状のボディ４１と、ボディ４１の開口を塞ぐようにしてボディ４１に取り付けられる第１カバー４２及び第２カバー４３を備える。ボディ４１の内部は、ボディ４１と一体に設けられた仕切り壁４１ａによって、点灯回路７を収納する回路収納室４４と、電線を収納する第１電線収納室４５とに仕切られ、回路収納室４４及び第１電線収納室４５はそれぞれ右側面が開放されている。第１電線収納室４５は、第２収納部４において、第１収納部３の第２電線収納室３７と繋がる位置に設けられている。回路収納室４４と第１電線収納室４５の間は、仕切り壁４１ａに設けられた孔４１ｂを介して繋がっている。また第１電線収納室４５の下側の壁には、第１電線収納室４５と外部との間をつなぐ孔４１ｃが設けられている。ここにおいて、第２収納部４が第１収納部３に取り付けられた状態では、第１電線収納室４５と第２電線収納室３７とで連続する一つの空間が形成され、この空間が上記の電線収納室５となる。
【００２６】
第１カバー４２は、平板状であって回路収納室４４の開口部である第１開口４４ａよりも若干大きめに形成されており、回路収納室４４の第１開口４４ａの周縁にネジ止めなどの方法で取り付けられて、回路収納室４４の第１開口４４ａを閉塞する。第２カバー４３は、平板状であって第１電線収納室４５の開口部である第２開口４４ｂよりも若干大きめに形成されており、第１電線収納室４５の第２開口４４ｂの周縁にネジ止めなどの方法で取り付けられて、第１電線収納室４５の第２開口４４ｂを閉塞する。尚、第２収納部４と第１カバー４２との接触部位には、第１開口４４ａの周縁部分に沿って溝４６ａが設けられ、溝４６ａ内に配置されるガスケット（図示せず）が第２収納部４及び第１カバー４２に密着することで、防水性能を向上させている。また、第２収納部４と第２カバー４３との接触部位にも、第２開口４４ｂの周縁部分に沿って溝４６ｂが設けられ、溝４６ｂ内に配置されるガスケット（図示せず）が第２収納部４及び第２カバー４３に密着することで、防水性能を向上させている。
【００２７】
ここで、照明器具１を組み立てるにあたっては、ＬＥＤユニット６及び反射部材３６が取り付けられた第１収納部３の背面に、点灯回路７を収納した第２収納部４を取り付け、ネジ止めなどの方法で第１収納部３と第２収納部４とを結合する。この時、第１収納部３の光源収納室３１内に収納されたＬＥＤユニット６の入力線Ｌ４は、孔３７ｂを通して、電線収納室５内に引き出されている。また、回路収納室４４内に配置された点灯回路７の入力線Ｌ１及び出力線Ｌ２は、仕切り壁４１ａの孔４１ｂを通して、電線収納室５内に引き出されている。ＬＥＤユニット６の入力線Ｌ４の先端にはコネクタＣＮ２２が結線されている。点灯回路７の入力線Ｌ１の先端には、外部電源１０の給電線Ｌ３に結線されたコネクタＣＮ１２が、着脱自在に接続されるコネクタＣＮ１１が結線されている。また、点灯回路７の出力線Ｌ２の先端には、コネクタＣＮ２２が着脱自在に接続されるコネクタＣＮ２１が結線されている。
【００２８】
而して、電線収納室５内で、点灯回路７の出力線Ｌ２に結線されたコネクタＣＮ２１を、ＬＥＤユニット６の入力線Ｌ４に結線されたコネクタＣＮ２２に接続することによって、ＬＥＤユニット６と点灯回路７との間が電気的に接続される。また、孔４１ｃを通して外部から電線収納室５に挿入された給電線Ｌ３のコネクタＣＮ１２を、点灯回路７の入力線Ｌ１に結線されたコネクタＣＮ１１に接続することによって、外部電源１０と点灯回路７の間が電気的に接続される。ここにおいて、コネクタＣＮ１１とコネクタＣＮ１２とで、点灯回路７の入力線Ｌ１と外部電源１０からの給電線Ｌ３との間を結線する第１結線部ＣＮ１が構成される。また、コネクタＣＮ２１とコネクタＣＮ２２とで、点灯回路７の出力線Ｌ２とＬＥＤユニット６の入力線Ｌ４の間を結線する第２結線部ＣＮ２が構成される。
【００２９】
以上説明したように、本実施形態の照明器具１は第１収納部３と第２収納部４と電線収納室５（第１電線収納室４５及び第２電線収納室３７からなる）とを備える。第１収納部３は、ＬＥＤユニット６（発光ダイオード）を収納する光源収納室３１を備える。第２収納部４は、外部電源１０から電力供給を受けてＬＥＤユニット６を点灯させる点灯回路７を収納する回路収納室４４を備え、第１収納部３に着脱自在に取り付けられる。電線収納室５は、第１収納部３及び第２収納部４を含む器具本体２に、回路収納室４４と仕切られた状態で設けられる。そして、電線収納室５には、第１結線部ＣＮ１と第２結線部ＣＮ２とが収納される。第１結線部ＣＮ１は、外部電源１０からの給電線Ｌ３と点灯回路７の第１入力線Ｌ１との間を結線する。第２結線部ＣＮ２は、点灯回路７の出力線Ｌ２とＬＥＤユニット６の第２入力線Ｌ４との間を結線する。
【００３０】
図１（ｂ）に示すように、第１収納部３に電線収納室５ａが設けられ、第２収納部４に電線収納室５ｂが設けられた場合、電線収納室５ｂ内で点灯回路７の出力線Ｌ２と配線Ｌ５の一端側が接続され、電線収納室５ａ内で配線Ｌ５の他端側がＬＥＤユニット６の入力線Ｌ４に接続される。このように、第１収納部３及び第２収納部４にそれぞれ別個に電線収納室が設けられた場合、点灯回路７とＬＥＤユニット６の間では２箇所の結線部ＣＮ３，ＣＮ４で配線を接続する作業が必要になる。
【００３１】
それに対して、本実施形態では、第１収納部３及び第２収納部４を含む器具本体２に回路収納室４４と仕切られた状態で電線収納室５が設けられ、この電線収納室５に第１結線部ＣＮ１及び第２結線部ＣＮ２が収納されている。したがって、点灯回路７又はＬＥＤユニット６（発光ダイオード）を交換する場合には、点灯回路７を収納する第２収納部４、又は、ＬＥＤユニット６を収納する第１収納部３を交換した後に、電線収納室５内で結線作業を行えばよいから、点灯回路７とＬＥＤユニット６の間では第２結線部ＣＮ２のみの結線作業で済む。したがって、点灯回路７とＬＥＤユニット６の間で電線を接続する作業が少なくなり、点灯回路７或いはＬＥＤユニット６の交換に容易に対応できる。尚、本実施形態では第２収納部４に設けられた第１電線収納室４５と、第１収納部３に設けられた第２電線収納室３７とで、電線収納室５が構成されているが、点灯回路７を収納する第２収納部４の第１電線収納室４５のみで電線収納室５が構成されていてもよい。
【００３２】
ところで、図４に示すように、第１収納部３の孔３７ｂにブッシング５１を取り付け、ブッシング５１を通して第１収納部３から第２電線収納室３７に入力線Ｌ４を引き出すようにしてもよい。この場合、ブッシング５１によって孔３７ｂの内面と入力線Ｌ４との隙間が埋められるから、光源収納室３１の密閉性が向上する。
【００３３】
また、図４に示すように、第２収納部４の孔４１ｂにブッシング５２を取り付け、ブッシング５２を通して回路収納室４４から第１電線収納室４５に入力線Ｌ１及び出力線Ｌ２を引き出すようにしてもよい。この場合、ブッシング５２によって孔４１ｂの内面と入力線Ｌ１，出力線Ｌ２との隙間が埋められるから、回路収納室４４の密閉性が向上する。
【００３４】
また、図４に示すように、第２収納部４の孔４１ｃにブッシング５３を取り付け、ブッシング５３を通して外部電源１０からの給電線Ｌ３を第１電線収納室４５に引き込むようにしてもよい。この場合、ブッシング５３によって孔４１ｃの内面と給電線Ｌ３との隙間が埋められるから、第１電線収納室４５の密閉性が向上する。
【００３５】
このように、第２収納部４は、回路収納室４４と第１電線収納室４５の間を仕切る仕切り壁４１ａを備え、仕切り壁４１ａには、入力線Ｌ１及び出力線Ｌ２を通すための孔４１ｂが設けられている。この孔４１ｂに、隙間を埋めるためのブッシング５２が取り付けられることも好ましく、回路収納室４４の密閉性を向上させることができる。
【００３６】
また照明器具１は、回路収納室４４の内部空間を外部に開放する第１開口４４ａと、電線収納室５の内部空間を外部に開放する第２開口４５ａと、第１カバー４２と、第２カバー４３とを備えている。第１カバー４２は、第１開口４４ａの周縁部に着脱自在に取り付けられて第１開口４４ａを閉塞し、第２カバー４３は、第１カバー４２とは別体に形成され、第２開口４５ａの周縁部に着脱自在に取り付けられて第２開口４５ａを閉塞する。
【００３７】
これにより、第１結線部ＣＮ１及び第２結線部ＣＮ２の結線作業を行う場合は、第２カバー４３を外して電線収納室５のみを露出させればよく、第１カバー４２によって回路収納室４４が覆われた状態で、結線作業を行うことができる。また、結線作業を行う際に、回路収納室４４を覆う第１カバー４２を外す必要が無いので、回路収納室４４の密閉性が低下するのを抑制できる。
【００３８】
（実施形態２）
実施形態２の照明器具について図５〜図９を参照して説明する。実施形態１では第１収納部３に複数のＬＥＤユニット６が収納されている。それに対して、本実施形態では、第１収納部３にＬＥＤユニット６が１個しか収納されておらず、図６及び図７に示すように、所望の明るさを確保するのに必要な台数の第１収納部３を取付板６０に取り付けることで、照明器具１を構成している。尚、実施形態１と共通する構成要素には同一の符号を付して、その説明は省略する。
【００３９】
第１収納部３は本体３２と前枠３３とで構成される。
【００４０】
本体３２は例えばダイカスト法により形成されたダイカスト成型品からなる。本体３２は、図５（ａ）〜（ｃ）に示すように、円筒状の側壁３２ｂと、側壁３２ｂの軸方向一端側を閉塞する底壁３２ａと、側壁３２ｂの開口側の端部から径方向の外側に突出する鍔部３２ｃと、底壁３２ａの裏面（図５（ｃ）における右側面）に設けられた放熱用の複数のフィン３２ｄを一体に備える。
【００４１】
前枠３３は、外径及び内径の各寸法が鍔部３２ｃと略同じ寸法に設定された環状に形成されている。前枠３３は、鍔部３２ｃとの間にカバー３５を挟んだ状態で、鍔部３２ｃの前側に重ねて配置される。前枠３３には、周方向に一定の間隔で４個の孔（図示せず）が設けられており、各々の孔に通したネジ３９を鍔部３２ｃのネジ孔（図示せず）にねじ込むことによって、前枠３３が鍔部３２ｃに結合される。カバー３５は透光性の材料（例えばガラスなど）により円板状に形成されており、鍔部３２ｃ及び前枠３３とカバー３５との間にはパッキン３８が介装され、第１収納部３の内部空間の密閉性を向上させている。
【００４２】
底壁３２ａと側壁３２ｂとで囲まれる空間により、ＬＥＤユニット６を収納する光源収納室３１が構成される。光源収納室３１は、側壁３２ｂの軸方向一端側（図３の左側）が開口しており、この開口は上述のように透光性のカバー３５によって閉塞される。光源収納室３１の内部には、底壁３２ａの表面（図５（ｃ）における左側面）の中央に１個のＬＥＤユニット６が配置されている。
【００４３】
光源収納室３１には、ＬＥＤユニット６の発光を反射して配光を制御する反射部材３６が収納されている。反射部材３６には、ＬＥＤユニット６に対応する位置に、ＬＥＤユニット６を露出させる孔３６ａが設けられ、各々の孔３６ａの周りには回転放物面からなる反射面３６ｂが形成されている。
【００４４】
また、本体３２の底壁３２ａには筒状の電線取出口３２ｅが一体に設けられている。電線取出口３２ｅの内部は、底壁３２ａに設けられた孔を通して光源収納室３１と繋がっており、ＬＥＤユニット６の入力線Ｌ４は電線取出口３２ｅを通して外部に引き出される。尚、電線取出口３２ｅの内部にはブッシング５４が取り付けられており、入力線Ｌ４はブッシング５４の孔に通されている。このように、ブッシング５４によって電線取出口３２ｅの孔が塞がれているから、光源収納室３１の密閉性が向上する。
【００４５】
本実施形態では、図６に示すように、７個の第１収納部３が金属製の取付板６０に並べて取り付けられている。取付板６０は平板状であって、取付板６０には、それぞれ第１収納部３の本体３２が挿入される貫通孔６１が７箇所に設けられている。各貫通孔６１の直径は、本体３２の側壁３２ｂの外径寸法よりも大きく、且つ、鍔部３２ｃの外径寸法よりは小さい寸法に設定されている。また、各貫通孔６１の周りには、鍔部３２ｃのネジ孔から露出するネジ３９の先端側がそれぞれ挿入される孔６２が４箇所に形成されている。第１収納部３を取付板６０に取り付ける際は、取付板６０の貫通孔６１に本体３２をフィン３２ｄ側から挿入するとともに、ネジ３９を孔６２に挿入し、鍔部３２ｃを貫通孔６１の周縁部に当接させる。この状態では孔６２から取付板６０の反対側の面にネジ３９のネジ部が露出しており、このネジ部にナット４０をねじ込むことによって、第１収納部３が取付板６０に固定される。尚、取付板６０に取り付けられる第１収納部３の台数及び配置は、図６及び図７に示す形態に限定されるものではなく、所望の明るさや配光の範囲に応じて第１収納部３の台数や配置を決定すればよい。例えば図９に示す形態では、取付板６０に４台の第１収納部３が取り付けられている。
【００４６】
取付板６０は、互いに平行する２つの辺の中間付近に、アーム１１の軸部（図示せず）を回転自在に支持する軸受け部６３がそれぞれ設けられている。両側の軸受け部６３にアーム１１の軸部を支持させることによって、アーム１１に対して取付板６０が回転自在に取り付けられる。而して、アーム１１が設置場所に固定された状態で、取付板６０の向きを変化させることで、ＬＥＤユニット６からの発光を所望の方向に向けることができる。
【００４７】
取付板６０に取り付けられた複数の第１収納部３の背面側には、図７に示すように点灯回路７を収納する第２収納部４が、ネジ止めなどの適宜の方法で取り付けられる。
【００４８】
第２収納部４は、実施形態１と同様、ダイカスト法によって形成されたダイカスト成型品からなり一方の側面の略全体が開口した箱状のボディ４１と、ボディ４１の開口を塞ぐようにしてボディ４１に取り付けられる第１カバー４２及び第２カバー４３を備える。ボディ４１の内部は、ボディ４１と一体に設けられた仕切り壁４１ａによって、点灯回路７を収納する回路収納室４４と、電線を収納する電線収納室５とに仕切られている（図８参照）。回路収納室４４及び電線収納室５はそれぞれ一側面が開放されており、各々の開口はカバー４２，４３によって閉塞されている。
【００４９】
本実施形態においても実施形態１と同様に、第２収納部４には、回路収納室４４と仕切られた状態で電線収納室５が設けられている。電線収納室５には、回路収納室４４内の点灯回路７からの入力線Ｌ１及び出力線Ｌ２が導入されている。また、電線収納室５の内部には外部電源１０からの給電線Ｌ３が導入され、電線収納室５の内部で、給電線Ｌ３と点灯回路７の入力線Ｌ１とが結線されている。第１収納部３の電線取出口３２ｅから引き出されたＬＥＤユニット５の入力線Ｌ４は電線収納室５の内部に導入され、電線収納室５の内部で、入力線Ｌ４と点灯回路７の出力線Ｌ２とが結線されている。このように、電線収納室５の内部には、外部電源１０からの給電線Ｌ３と点灯回路７の入力線Ｌ１（第１入力線）の間を結線する第１結線部ＣＮ１が収納されている。また、電線収納室５の内部には、点灯回路７の出力線Ｌ２とＬＥＤユニット６の入力線Ｌ３（第２入力線）の間を結線する第２結線部ＣＮ２が収納されている。
【００５０】
したがって、点灯回路７又はＬＥＤユニット６（発光ダイオード）を交換する場合には、点灯回路７を収納する第２収納部４、又は、ＬＥＤユニット６を収納する第１収納部３を交換した後に、電線収納室５おいて結線作業を行えばよいから、点灯回路７とＬＥＤユニット６の間では第２結線部のみの結線作業で済む。よって、点灯回路７とＬＥＤユニット６の間で電線を接続する作業が少なくなり、点灯回路７或いはＬＥＤユニット６の交換に容易に対応できる。
【００５１】
なお、第２収納部４には、電線収納室５を外部に露出させるための孔４１ｃが設けられ、孔４１ｃを通して給電線Ｌ３及び入力線Ｌ４が電線収納室４内に導入されている。孔４１ｃにはブッシング５３が取り付けられており、ブッシング５３の孔（図示せず）に給電線Ｌ３及び入力線Ｌ４が通されている。而して、ブッシング５３によって、孔４１ｃの内面と配線（給電線Ｌ３及び入力線Ｌ４）との間の隙間が閉塞されるから、電線収納室５の密閉性が向上する。
【００５２】
本実施形態においても、実施形態１と同様、仕切り壁４１ａに、入力線Ｌ１及び出力線Ｌ２を通す孔が設けられ、この孔に隙間を埋めるためのブッシングが取り付けられていてもよい。これにより、回路収納室４４の密閉性を向上させることができる。
【００５３】
また、本実施形態においても、回路収納室４４の内部空間を外部に開放する第１開口と、電線収納室５の内部空間を外部に開放する第２開口とを備え、第１開口を閉塞する第１カバー４２と、第２開口を閉塞する第２カバー４３とが別々に設けられている。
【００５４】
これにより、第１結線部ＣＮ１及び第２結線部ＣＮ２の結線作業を行う場合は、第２カバー４３を外して電線収納室５のみを露出させればよく、第１カバー４２によって回路収納室４４が覆われた状態で、結線作業を行うことができる。また、結線作業を行う際に、回路収納室４４を覆う第１カバー４２を外す必要が無いので、回路収納室４４の密閉性が向上するという利点もある。
【００５５】
また、本実施形態では、それぞれＬＥＤユニット６を収納する複数個の第１収納部３が取付板６０に取り付けられているので、第１収納部３の単位で交換が可能であり、一部の部品の不具合で照明器具１全体を取り替える必要が無い。
【００５６】
また、第１収納部３の本体３２と前枠３３とを結合するネジ３９を利用して、第１収納部３を取付板６０に固定しているので、第１収納部３を取付板６０に取り付けるために別途部品を用意する必要が無く、コストダウンを図ることができる。
【符号の説明】
【００５７】
１  照明器具
２  器具本体
３  第１収納部
４  第２収納部
５  電線収納室
６  ＬＥＤユニット
７  点灯回路
１０  外部電源
４４  回路収納室
Ｌ１  入力線（第１入力線）
Ｌ２  出力線
Ｌ３  給電線
Ｌ４  入力線（第２入力線）
ＣＮ１  第１結線部
ＣＮ２  第２結線部
【図１】
2014135205.tif 000003
【図２】
2014135205.tif 000004
【図３】
2014135205.tif 000005
【図４】
2014135205.tif 000006
【図５】
2014135205.tif 000007
【図６】
2014135205.tif 000008
【図７】
2014135205.tif 000009
【図８】
2014135205.tif 000010
【図９】
2014135205.tif 000011